(57)【要約】  本開示は、制御方法及び端末を提供する。ここで、前記制御方法において、専用ＲＲＣメッセージ及び／又はシステムメッセージを取得することと、前記専用ＲＲＣメッセージ及び／又は前記システムメッセージに付帯する情報に基づいて、ＣＯＲＥＳＥＴ及び／又はＣＳＳに対し制御動作を行うこととを含み、ここで、前記情報は、ＣＯＲＥＳＥＴ及び／又はＣＳＳに関連する。【選択図】  図１
2021518089.tif 000002
【特許請求の範囲】
【請求項１】
端末に適用される制御方法であって、
専用ＲＲＣ（Ｒａｄｉｏ  Ｒｅｓｏｕｒｃｅ  Ｃｏｎｔｒｏｌ）メッセージ及び／又はシステムメッセージを取得することと、
前記専用ＲＲＣメッセージ及び／又は前記システムメッセージに付帯する情報に基づいて、ＣＯＲＥＳＥＴ（Ｃｏｎｔｒｏｌ  Ｒｅｓｏｕｒｃｅ  Ｓｅｔ）及び／又はＣＳＳ（Ｃｏｍｍｏｎ  Ｓｅａｒｃｈ  Ｓｐａｃｅ）に対し制御動作を行うこととを含み、
ここで、前記情報は、ＣＯＲＥＳＥＴ及び／又はＣＳＳに関連する、制御方法。
【請求項２】
前記システムメッセージには、ＣＯＲＥＳＥＴ情報及び／又はＣＳＳ情報を付帯し、
前記のＣＯＲＥＳＥＴ及び／又はＣＳＳに対し制御動作を行うことは、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することとの少なくとも１つを含む、請求項１に記載の制御方法。
【請求項３】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯し、
前記のＣＯＲＥＳＥＴ及び／又はＣＳＳに対し制御動作を行うことは、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを含む、請求項１に記載の制御方法。
【請求項４】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯せず、
前記のＣＯＲＥＳＥＴ及び／又はＣＳＳに対し制御動作を行うことは、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴ＃０を選択することと、
前記専用ＲＲＣメッセージに指示されるＣＳＳ＃０を選択することと、
前記専用ＲＲＣメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを含む、請求項１に記載の制御方法。
【請求項５】
前記ターゲット通信プロセスは、
切り替えプロセス、再設定プロセス、再構築プロセス、セカンダリセルグループ変更プロセス、セカンダリセルグループ追加プロセス、セカンダリセルグループ再設定プロセス、セカンダリノード変更プロセス、セカンダリノード追加プロセス及びセカンダリノード再設定プロセスの少なくとも１つを含む、請求項３又は４に記載の制御方法。
【請求項６】
前記システムメッセージは、
ＣＯＲＥＳＥＴ情報及び／又はＣＳＳ情報を付帯するＭＩＢ（Ｍａｓｔｅｒ  Ｉｎｆｏｒｍａｔｉｏｎ  Ｂｌｏｃｋ）と、
ＣＯＲＥＳＥＴ情報及び／又はＣＳＳ情報を付帯するシステム情報ブロックＳＩＢ１とを含み、
前記のＣＯＲＥＳＥＴ及び／又はＣＳＳに対し制御動作を行うことは、
前記システム情報ブロックＳＩＢ１に付帯するＣＯＲＥＳＥＴ情報を無視することと、
前記システム情報ブロックＳＩＢ１に付帯するＣＳＳ情報を無視することと、
前記ＭＩＢに付帯するＣＯＲＥＳＥＴ情報を無視することと、
前記ＭＩＢに付帯するＣＳＳ情報を無視することとの少なくとも１つを含む、請求項１に記載の制御方法。
【請求項７】
前記専用ＲＲＣメッセージには、ＣＯＲＥＳＥＴ情報及び／又はＣＳＳ情報を付帯し、
前記システムメッセージには、ＣＯＲＥＳＥＴ情報及び／又はＣＳＳ情報を付帯し、
前記のＣＯＲＥＳＥＴ及び／又はＣＳＳに対し制御動作を行うことは、
前記専用ＲＲＣメッセージに付帯するＣＯＲＥＳＥＴ情報を無視することと、
前記専用ＲＲＣメッセージに付帯するＣＳＳ情報を無視することと、
前記システムメッセージに付帯するＣＯＲＥＳＥＴ情報を無視することと、
前記システムメッセージに付帯するＣＳＳ情報を無視することとの少なくとも１つを含む、請求項１に記載の制御方法。
【請求項８】
前記付帯は、明示的付帯及び／又は暗黙的付帯を含む、請求項６又は７に記載の制御方法。
【請求項９】
専用ＲＲＣメッセージ及び／又はシステムメッセージを取得する取得モジュールと、
前記専用ＲＲＣメッセージ及び／又は前記システムメッセージに付帯する情報に基づいて、ＣＯＲＥＳＥＴ及び／又はＣＳＳに対し制御動作を行う制御モジュールとを含み、
ここで、前記情報は、ＣＯＲＥＳＥＴ及び／又はＣＳＳに関連する、端末。
【請求項１０】
前記システムメッセージには、ＣＯＲＥＳＥＴ情報及び／又はＣＳＳ情報を付帯し、
前記制御モジュールは、具体的には、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することとの少なくとも１つを実行する、請求項９に記載の端末。
【請求項１１】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯し、
前記制御モジュールは、具体的には、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを実行する、請求項９に記載の端末。
【請求項１２】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯せず、
前記制御モジュールは、具体的には、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴ＃０を選択することと、
前記専用ＲＲＣメッセージに指示されるＣＳＳ＃０を選択することと、
前記専用ＲＲＣメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを実行する、請求項９に記載の端末。
【請求項１３】
前記ターゲット通信プロセスは、
切り替えプロセス、再設定プロセス、再構築プロセス、セカンダリセルグループ変更プロセス、セカンダリセルグループ追加プロセス、セカンダリセルグループ再設定プロセス、セカンダリノード変更プロセス、セカンダリノード追加プロセス及びセカンダリノード再設定プロセスの少なくとも１つを含む、請求項１１又は１２に記載の端末。
【請求項１４】
前記システムメッセージは、
ＣＯＲＥＳＥＴ情報及び／又はＣＳＳ情報を付帯するＭＩＢと、
ＣＯＲＥＳＥＴ情報及び／又はＣＳＳ情報を付帯するＳＩＢ１とを含み、
前記制御モジュールは、具体的には、
前記ＳＩＢ１に付帯するＣＯＲＥＳＥＴ情報を無視することと、
前記ＳＩＢ１に付帯するＣＳＳ情報を無視することと、
前記ＭＩＢに付帯するＣＯＲＥＳＥＴ情報を無視することと、
前記ＭＩＢに付帯するＣＳＳ情報を無視することとの少なくとも１つを実行する、請求項９に記載の端末。
【請求項１５】
前記専用ＲＲＣメッセージには、ＣＯＲＥＳＥＴ情報及び／又はＣＳＳ情報を付帯し、
前記システムメッセージには、ＣＯＲＥＳＥＴ情報及び／又はＣＳＳ情報を付帯し、
前記制御モジュールは、具体的には、
前記専用ＲＲＣメッセージに付帯するＣＯＲＥＳＥＴ情報を無視することと、
前記専用ＲＲＣメッセージに付帯するＣＳＳ情報を無視することと、
前記システムメッセージに付帯するＣＯＲＥＳＥＴ情報を無視することと、
前記システムメッセージに付帯するＣＳＳ情報を無視することとの少なくとも１つを実行する、請求項９に記載の端末。
【請求項１６】
前記付帯は、明示的付帯及び／又は暗黙的付帯を含む、請求項１４又は１５に記載の端末。
【請求項１７】
メモリと、プロセッサと、前記メモリに記憶されて前記プロセッサで動作可能なコンピュータプログラムとを含む端末であって、
前記コンピュータプログラムが前記プロセッサによって実行されると、請求項１〜８のいずれか１項に記載の制御方法が実現される、端末。
【請求項１８】
コンピュータプログラムが記憶されているコンピュータ読み取り可能な記憶媒体であって、
前記コンピュータプログラムがプロセッサによって実行されると、請求項１〜８のいずれか１項に記載の制御方法が実現される、コンピュータ読み取り可能な記憶媒体。
【発明の詳細な説明】
【技術分野】
【０００１】
本願は、２０１８年４月１３日に中国特許庁に提出された中国特許出願２０１８１０３３１８０２．９の優先権を主張し、その全ての内容が援用によりここに取り込まれる。
本開示は、通信技術分野に係り、特に制御方法及び端末に係る。
【背景技術】
【０００２】
現在、ネットワーク側は、ＣＯＲＥＳＥＴ（Ｃｏｎｔｒｏｌ  Ｒｅｓｏｕｒｃｅ  Ｓｅｔ）＃０及びＣＳＳ（Ｃｏｍｍｏｎ  Ｓｅａｒｃｈ  Ｓｐａｃｅ）＃０を、ＭＩＢ（Ｍａｓｔｅｒ  Ｉｎｆｏｒｍａｔｉｏｎ  Ｂｌｏｃｋ）を介して端末に設定することができる。ＣＯＲＥＳＥＴ＃０及び／又はＣＳＳ＃０が専用ＲＲＣ（Ｒａｄｉｏ  Ｒｅｓｏｕｒｃｅ  Ｃｏｎｔｒｏｌ）メッセージに指示されている場合、ＭＩＢに指示されるＣＯＲＥＳＥＴ＃０及び／又はＣＳＳ＃０を指す。
【０００３】
通信技術の発展に伴い、ネットワーク側は、端末に複数のＣＯＲＥＳＥＴ及び／又はＣＳＳを設定することができる。該複数のＣＯＲＥＳＥＴ及び／又はＣＳＳは、通常、ＭＡＣ（Ｍｅｄｉｕｍ  Ａｃｃｅｓｓ  Ｃｏｎｔｒｏｌ）ＣＥ（Ｃｏｎｔｒｏｌ  ｅｌｅｍｅｎｔ）によって活性化されてこそ、対応するビームに用いられ得る。ランダムアクセスプロセスなどの通信プロセス中に、該複数のＣＯＲＥＳＥＴ及び／又はＣＳＳの活性化が完了していない場合、又はＭＩＢに指示されるＣＯＲＥＳＥＴ＃０及び／又はＣＳＳ＃０が専用ＲＲＣメッセージに指示されるものと一致しない場合、このような状況においてＣＯＲＥＳＥＴ及び／又はＣＳＳをどのように選択するかが明確化されていないので、端末は、対応するＣＯＲＥＳＥＴ及び／又はＣＳＳを正確に見つけることができず、対応する通信プロセスを完了できないことがある。
【発明の概要】
【発明が解決しようとする課題】
【０００４】
本開示の実施例は、端末が対応するＣＯＲＥＳＥＴ及び／又はＣＳＳを正確に見つけて対応する通信プロセスを完了できるように、制御方法及び端末を提供する。
【課題を解決するための手段】
【０００５】
第１態様として、本開示の実施例は、端末に適用される制御方法を提供し、専用ＲＲＣメッセージ及び／又はシステムメッセージを取得することと、前記専用ＲＲＣメッセージ及び／又は前記システムメッセージに付帯する情報に基づいて、ＣＯＲＥＳＥＴ及び／又はＣＳＳに対し制御動作を行うこととを含み、ここで、前記情報は、ＣＯＲＥＳＥＴ及び／又はＣＳＳに関連する。
【０００６】
第２態様として、本開示の実施例は、端末を更に提供し、専用ＲＲＣメッセージ及び／又はシステムメッセージを取得する取得モジュールと、前記専用ＲＲＣメッセージ及び／又は前記システムメッセージに付帯する情報に基づいて、ＣＯＲＥＳＥＴ及び／又はＣＳＳに対し制御動作を行う制御モジュールとを含み、ここで、前記情報は、ＣＯＲＥＳＥＴ及び／又はＣＳＳに関連する。
【０００７】
第３態様として、本開示の実施例は、端末を更に提供する。前記端末は、メモリと、プロセッサと、前記メモリに記憶されて前記プロセッサで動作可能なコンピュータプログラムとを含み、ここで、前記コンピュータプログラムが前記プロセッサによって実行されると、上記制御方法が実現される。
【０００８】
第４態様として、本開示の実施例は、コンピュータプログラムが記憶されているコンピュータ読み取り可能な記憶媒体を更に提供し、前記コンピュータプログラムがプロセッサによって実行されると、上記制御方法が実現される。
【発明の効果】
【０００９】
本開示の実施例において、専用ＲＲＣメッセージ及び／又はシステムメッセージに付帯するＣＯＲＥＳＥＴ及び／又はＣＳＳに関連する情報に基づいてＣＯＲＥＳＥＴ及び／又はＣＳＳに対し制御動作を行うことを明確にすることによって、端末は、対応するＣＯＲＥＳＥＴ及び／又はＣＳＳを正確に見つけることができ、それにより、対応する通信プロセスを完了する。
【００１０】
本開示の実施形態の技術的解決策をより明確に説明するために、以下では、本開示の実施例で使用される添付図面を簡単に説明するが、以下の説明における添付図面は、本開示の一部の実施例にすぎず、当業者であれば、創造的な労力を伴うことなく、これらの図面から他の図面を取得することができることは明らかである。
【図面の簡単な説明】
【００１１】
【図１】本開示の実施例に係る制御方法のフローチャートである。
【図２】本開示の実施例に係る端末の構造図その１である。
【図３】本開示の実施例に係る端末の構造図その２である。
【発明を実施するための形態】
【００１２】
本開示の実施例の技術的解決策をより明確に説明するために、以下では、本開示の実施例で使用される添付図面を簡単に説明するが、以下の説明における添付図面は、本開示の一部の実施例にすぎず、当業者であれば、創造的な労力を伴うことなく、これらの図面から他の図面を取得することができることは明らかである。
【００１３】
図１を参照すると、本開示の実施例は、端末に適用される制御方法を提供し、以下のステップを含む。
【００１４】
ステップ１０１において、専用ＲＲＣメッセージ及び／又はシステムメッセージを取得する。
【００１５】
本開示の実施例において、該専用ＲＲＣメッセージは、ターゲット通信プロセスに対応し得る。該ターゲット通信プロセスは、切り替えプロセス、再設定プロセス、再構築プロセス、セカンダリセルグループ変更プロセス、セカンダリセルグループ追加プロセス、セカンダリセルグループ再設定プロセス、セカンダリノード変更プロセス、セカンダリノード追加プロセス及びセカンダリノード再設定プロセスの少なくとも１つを含んでよい。該システムメッセージは、ＭＩＢ又はＳＩＢ１であってよい。
【００１６】
ステップ１０２において、専用ＲＲＣメッセージ及び／又はシステムメッセージに付帯する情報に基づいて、ＣＯＲＥＳＥＴ及び／又はＣＳＳに対し制御動作を行う。ここで、前記情報は、ＣＯＲＥＳＥＴ及び／又はＣＳＳに関連する。
【００１７】
本開示の実施例において、専用ＲＲＣメッセージ及び／又はシステムメッセージに付帯するＣＯＲＥＳＥＴ及び／又はＣＳＳに関連する情報に基づいてＣＯＲＥＳＥＴ及び／又はＣＳＳに対し制御動作を行うことを明確にすることによって、端末は、対応するＣＯＲＥＳＥＴ及び／又はＣＳＳを正確に見つけることができる。それにより、対応する通信プロセスを完了する。
【００１８】
本開示の実施例において、システムメッセージには、ＣＯＲＥＳＥＴ情報及び／又はＣＳＳ情報を付帯する場合、ＣＯＲＥＳＥＴ及び／又はＣＳＳに対し制御動作を行うプロセスは、システムメッセージ（例えば、ＭＩＢ又はＳＩＢ１）に指示されるＣＯＲＥＳＥＴ＃０を選択することと、システムメッセージ（例えば、ＭＩＢ又はＳＩＢ１）に指示されるＣＳＳ＃０を選択することと、システムメッセージ（例えば、ＭＩＢ又はＳＩＢ１）に指示されるＣＯＲＥＳＥＴ＃０に関連付けられたＣＳＳを選択することとの少なくとも１つを含んでよい。ここで、この関連付けは、ＣＯＲＥＳＥＴ＃０とＣＳＳとが対応関係を有するか、又はＣＯＲＥＳＥＴ＃０とＣＳＳとが参照可能なＱＣＬ（Ｑｕａｓｉ  Ｃｏ−Ｌｏｃａｔｅｄ）を有するかであり得る。
【００１９】
本開示の実施例において、専用ＲＲＣメッセージがターゲット通信プロセスに対応し、専用ＲＲＣメッセージには、ＣＯＲＥＳＥＴ及び／又はＣＳＳのビームを指示する設定情報を付帯する場合、ＣＯＲＥＳＥＴ及び／又はＣＳＳに対し制御動作を行うプロセスは、システムメッセージ（例えば、ＭＩＢ又はＳＩＢ１）に指示されるＣＯＲＥＳＥＴ＃０を選択することと、システムメッセージ（例えば、ＭＩＢ又はＳＩＢ１）に指示されるＣＳＳ＃０を選択することと、システムメッセージ（例えば、ＭＩＢ又はＳＩＢ１）に指示されるＣＯＲＥＳＥＴ＃０に関連付けられたＣＳＳを選択すること（ここで、この関連付けは、ＣＯＲＥＳＥＴ＃０とＣＳＳとが対応関係を有するか、又はＣＯＲＥＳＥＴ＃０とＣＳＳとが参照可能なＱＣＬを有するかである）と、専用ＲＲＣメッセージに指示されるＣＯＲＥＳＥＴを選択することと、専用ＲＲＣメッセージに指示されるＣＳＳを選択することと、専用ＲＲＣメッセージに指示されるＣＯＲＥＳＥＴに関連付けられたＣＳＳを選択すること（ここで、この関連付けは、ＣＯＲＥＳＥＴとＣＳＳとが対応関係を有するか、又はＣＯＲＥＳＥＴとＣＳＳとが参照可能なＱＣＬを有するかであり得る）との少なくとも１つを含んでよい。
【００２０】
本開示の実施例において、専用ＲＲＣメッセージがターゲット通信プロセスに対応し、専用ＲＲＣメッセージには、ＣＯＲＥＳＥＴ及び／又はＣＳＳのビームを指示する設定情報を付帯しない場合、ＣＯＲＥＳＥＴ及び／又はＣＳＳに対し制御動作を行うプロセスは、システムメッセージ（例えば、ＭＩＢ又はＳＩＢ１）に指示されるＣＯＲＥＳＥＴ＃０を選択することと、システムメッセージ（例えば、ＭＩＢ又はＳＩＢ１）に指示されるＣＳＳ＃０を選択することと、システムメッセージ（例えば、ＭＩＢ又はＳＩＢ１）に指示されるＣＯＲＥＳＥＴ＃０に関連付けられたＣＳＳを選択すること（ここで、この関連付けは、ＣＯＲＥＳＥＴ＃０とＣＳＳとが対応関係を有するか、又はＣＯＲＥＳＥＴ＃０とＣＳＳとが参照可能なＱＣＬを有するかであり得る）と、専用ＲＲＣメッセージに指示されるＣＯＲＥＳＥＴ＃０を選択することと、専用ＲＲＣメッセージに指示されるＣＳＳ＃０を選択することと、専用ＲＲＣメッセージに指示されるＣＯＲＥＳＥＴ＃０に関連付けられたＣＳＳを選択すること（ここで、この関連付けは、ＣＯＲＥＳＥＴ＃０とＣＳＳとが対応関係を有するか、又はＣＯＲＥＳＥＴ＃０とＣＳＳとが参照可能なＱＣＬを有するかであり得る）と、専用ＲＲＣメッセージに指示されるＣＯＲＥＳＥＴを選択することと、専用ＲＲＣメッセージに指示されるＣＳＳを選択することと、専用ＲＲＣメッセージに指示されるＣＯＲＥＳＥＴに関連付けられたＣＳＳを選択すること（ここで、この関連付けは、ＣＯＲＥＳＥＴとＣＳＳとが対応関係を有するか、又はＣＯＲＥＳＥＴとＣＳＳとが参照可能なＱＣＬを有するかであり得る）との少なくとも１つを含んでよい。
【００２１】
本開示の実施例において、ＭＩＢによって指示されるＣＯＲＥＳＥＴ及び／又はＣＳＳと、ＳＩＢ１によって指示されるＣＯＲＥＳＥＴ及び／又はＣＳＳとには、衝突が生じる可能性があること、又は、システムメッセージによって指示されるＣＯＲＥＳＥＴ及び／又はＣＳＳと、専用ＲＲＣメッセージとによって指示されるＣＯＲＥＳＥＴ及び／又はＣＳＳとには、衝突が生じする可能性があることに対処するために、ＭＩＢとＳＩＢ１とには同時にＣＯＲＥＳＥＴ情報及び／又はＣＳＳ情報を付帯する場合、又は、システムメッセージと専用ＲＲＣメッセージとには、同時にＣＯＲＥＳＥＴ情報及び／又はＣＳＳ情報を付帯する場合、端末は、あるＣＯＲＥＳＥＴ情報又はあるＣＳＳ情報を選択的に無視し得る。
【００２２】
具体的には、ＭＩＢにＣＯＲＥＳＥＴ情報及び／又はＣＳＳ情報を付帯し、ＳＩＢ１にＣＯＲＥＳＥＴ情報及び／又はＣＳＳ情報を付帯する場合、ＣＯＲＥＳＥＴ及び／又はＣＳＳに対し制御動作を行うプロセスは、ＳＩＢ１に付帯するＣＯＲＥＳＥＴ情報を無視することと、ＳＩＢ１に付帯するＣＳＳ情報を無視することと、ＭＩＢに付帯するＣＯＲＥＳＥＴ情報を無視することと、ＭＩＢに付帯するＣＳＳ情報を無視することとの少なくとも１つを含んでよい。
【００２３】
なお、この付帯は、明示的付帯及び／又は暗黙的付帯を含み得る。明示的付帯は、対応する情報をＭＩＢ及び／又はＳＩＢ１のＩＥコンテンツに含めることを指し、暗黙的付帯は、ＰＢＣＨ（ＭＩＢ）及び／又はＳＩＢに付帯するビットに基づいて、対応するＣＯＲＥＳＥＴ及びＣＳＳの設定情報を得ることを指す。
【００２４】
具体的には、専用ＲＲＣメッセージには、ＣＯＲＥＳＥＴ情報及び／又はＣＳＳ情報を付帯し、システムメッセージ（ＭＩＢ又はＳＩＢ１）には、ＣＯＲＥＳＥＴ情報及び／又はＣＳＳ情報を付帯する場合、ＣＯＲＥＳＥＴ及び／又はＣＳＳに対し制御動作を行うプロセスは、専用ＲＲＣメッセージに付帯するＣＯＲＥＳＥＴ情報を無視することと、専用ＲＲＣメッセージに付帯するＣＳＳ情報を無視することと、システムメッセージに付帯するＣＯＲＥＳＥＴ情報を無視することと、システムメッセージに付帯するＣＳＳ情報を無視することとの少なくとも１つを含んでよい。
【００２５】
なお、この専用ＲＲＣメッセージは、例えば、再設定（ｒｅｃｏｎｆｉｇｕｒａｔｉｏｎ）メッセージ、再構築と同期（ｒｅｃｏｎｆｉｇｕｒａｔｉｏｎ  ｗｉｔｈ  ｓｙｎｃ）メッセージ、設定（ｃｏｎｆｉｇｕｒａｔｉｏｎ）メッセージ、切り替えコマンド（ＨＯ  ｃｏｍｍａｎｄ）、モビリティー制御メッセージ（ｍｏｂｉｌｉｔｙ  ｃｏｎｔｒｏｌ  ｉｎｆｏｒｍａｔｉｏｎ）などである。この付帯は、明示的付帯及び／又は暗黙的付帯を含み得る。ここで、明示的付帯は、対応する情報をシステムメッセージ及び／又は専用ＲＲＣメッセージのＩＥコンテンツに含めることを指し、暗黙的付帯は、ＰＢＣＨ（ＭＩＢ）及び／又はＳＩＢに付帯するビットに基づいて、対応するＣＯＲＥＳＥＴ及びＣＳＳの設定情報を得ることを指す。
【００２６】
なお、本開示の実施例の制御方法は、５Ｇ、ｅＬＴＥ又は他の類似設定を有するシナリオにおいて用いられることが理解される。
【００２７】
以上の実施例で、本開示の制御方法について説明したが、以下、本開示の制御方法に対応する端末について、実施例及び図面を参照しながら説明する。
【００２８】
図２を参照すると、本開示の実施例は、以下でより詳細に説明されるように、取得モジュール２１及び制御モジュール２２を含む端末をさらに提供する。
【００２９】
ここで、前記取得モジュール２１は、専用ＲＲＣメッセージ及び／又はシステムメッセージを取得する。
【００３０】
前記制御モジュール２２は、前記専用ＲＲＣメッセージ及び／又は前記システムメッセージに付帯する情報に基づいて、ＣＯＲＥＳＥＴ及び／又はＣＳＳに対し制御動作を行う。ここで、前記情報は、ＣＯＲＥＳＥＴ及び／又はＣＳＳに関連する。
【００３１】
本開示の実施例の端末は、専用ＲＲＣメッセージ及び／又はシステムメッセージに付帯するＣＯＲＥＳＥＴ及び／又はＣＳＳに関連する情報に基づいてＣＯＲＥＳＥＴ及び／又はＣＳＳに対し制御動作を行うことを明確にすることによって、対応するＣＯＲＥＳＥＴ及び／又はＣＳＳを正確に見つけることができる。それにより、対応する通信プロセスを完了する。
【００３２】
本開示の実施例において、選択可能に、前記システムメッセージには、ＣＯＲＥＳＥＴ情報及び／又はＣＳＳ情報を付帯し、前記制御モジュール２２は、具体的には、前記システムメッセージに指示されるＣＯＲＥＳＥＴ＃０を選択することと、前記システムメッセージに指示されるＣＳＳ＃０を選択することと、前記システムメッセージに指示されるＣＯＲＥＳＥＴ＃０に関連付けられたＣＳＳを選択することとの少なくとも１つを実行する。
【００３３】
選択可能に、前記専用ＲＲＣメッセージは、ターゲット通信プロセスに対応し、前記専用ＲＲＣメッセージには、ＣＯＲＥＳＥＴ及び／又はＣＳＳのビームを指示する設定情報を付帯し、前記制御モジュール２２は、具体的には、前記システムメッセージに指示されるＣＯＲＥＳＥＴ＃０を選択することと、前記システムメッセージに指示されるＣＳＳ＃０を選択することと、前記システムメッセージに指示されるＣＯＲＥＳＥＴ＃０に関連付けられたＣＳＳを選択することと、前記専用ＲＲＣメッセージに指示されるＣＯＲＥＳＥＴを選択することと、前記専用ＲＲＣメッセージに指示されるＣＳＳを選択することと、前記専用ＲＲＣメッセージに指示されるＣＯＲＥＳＥＴに関連付けられたＣＳＳを選択することとの少なくとも１つを実行する。
【００３４】
選択可能に、前記専用ＲＲＣメッセージは、ターゲット通信プロセスに対応し、前記専用ＲＲＣメッセージには、ＣＯＲＥＳＥＴ及び／又はＣＳＳのビームを指示する設定情報を付帯せず、前記制御モジュール２２は、具体的には、前記システムメッセージに指示されるＣＯＲＥＳＥＴ＃０を選択することと、前記システムメッセージに指示されるＣＳＳ＃０を選択することと、前記システムメッセージに指示されるＣＯＲＥＳＥＴ＃０に関連付けられたＣＳＳを選択することと、前記専用ＲＲＣメッセージに指示されるＣＯＲＥＳＥＴ＃０を選択することと、前記専用ＲＲＣメッセージに指示されるＣＳＳ＃０を選択することと、前記専用ＲＲＣメッセージに指示されるＣＯＲＥＳＥＴ＃０に関連付けられたＣＳＳを選択することと、前記専用ＲＲＣメッセージに指示されるＣＯＲＥＳＥＴを選択することと、前記専用ＲＲＣメッセージに指示されるＣＳＳを選択することと、前記専用ＲＲＣメッセージに指示されるＣＯＲＥＳＥＴに関連付けられたＣＳＳを選択することとの少なくとも１つを実行する。
【００３５】
選択可能に、前記ターゲット通信プロセスは、切り替えプロセス、再設定プロセス、再構築プロセス、セカンダリセルグループ変更プロセス、セカンダリセルグループ追加プロセス、セカンダリセルグループ再設定プロセス、セカンダリノード変更プロセス、セカンダリノード追加プロセス及びセカンダリノード再設定プロセスの少なくとも１つを含む。
【００３６】
選択可能に、前記システムメッセージは、ＣＯＲＥＳＥＴ情報及び／又はＣＳＳ情報を付帯するＭＩＢと、ＣＯＲＥＳＥＴ情報及び／又はＣＳＳ情報を付帯するＳＩＢ１とを含み、前記制御モジュール２２は、具体的には、前記ＳＩＢ１に付帯するＣＯＲＥＳＥＴ情報を無視することと、前記ＳＩＢ１に付帯するＣＳＳ情報を無視することと、前記ＭＩＢに付帯するＣＯＲＥＳＥＴ情報を無視することと、前記ＭＩＢに付帯するＣＳＳ情報を無視することとの少なくとも１つを実行する。
【００３７】
選択可能に、前記専用ＲＲＣメッセージには、ＣＯＲＥＳＥＴ情報及び／又はＣＳＳ情報を付帯し、前記システムメッセージには、ＣＯＲＥＳＥＴ情報及び／又はＣＳＳ情報を付帯し、前記制御モジュール２２は、具体的には、前記専用ＲＲＣメッセージに付帯するＣＯＲＥＳＥＴ情報を無視することと、前記専用ＲＲＣメッセージに付帯するＣＳＳ情報を無視することと、前記システムメッセージに付帯するＣＯＲＥＳＥＴ情報を無視することと、前記システムメッセージに付帯するＣＳＳ情報を無視することとの少なくとも１つを実行する。
【００３８】
選択可能に、前記付帯は、明示的付帯及び／又は暗黙的付帯を含む。
【００３９】
本開示の実施例は、プロセッサと、メモリと、前記メモリに記憶されて前記プロセッサ上で実行可能なコンピュータプログラムとを含む端末を更に提供し、前記コンピュータプログラムが前記プロセッサによって実行されると、上述制御方法の実施例の各プロセスが実現され、同様の技術的効果を達成することができ、重複を避けるため、ここで繰り返し述べない。
【００４０】
図３は、本開示の各実施例を実現する端末のハードウェア構造図である。該端末３００は、無線周波数ユニット３０１と、ネットワークモジュール３０２と、オーディオ出力ユニット３０３と、入力ユニット３０４と、センサ３０５と、表示ユニット３０６と、ユーザ入力ユニット３０７と、インタフェースユニット３０８と、メモリ３０９と、プロセッサ３１０と、電源３１１などの部品を含むが、それらに限定されない。図３に示される端末の構造は、端末を限定するものではなく、端末は、図示されるよりも多い又は少ない部品を含むことができ、又は特定の部品を組み合わせることができ、又は異なる部品の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００４１】
ここで、プロセッサ３１０は、ＲＲＣメッセージ及び／又はシステムメッセージを取得し、前記専用ＲＲＣメッセージ及び／又は前記システムメッセージに付帯する情報に基づいて、ＣＯＲＥＳＥＴ及び／又はＣＳＳに対し制御動作を行う。ここで、前記情報は、ＣＯＲＥＳＥＴ及び／又はＣＳＳに関連する。
【００４２】
本開示の実施例の端末３００は、専用ＲＲＣメッセージ及び／又はシステムメッセージに付帯するＣＯＲＥＳＥＴ及び／又はＣＳＳに関連する情報に基づいてＣＯＲＥＳＥＴ及び／又はＣＳＳに対し制御動作を行うことを明確にすることによって、対応するＣＯＲＥＳＥＴ及び／又はＣＳＳを正確に見つけることができ、それにより、対応する通信プロセスを完了する。
【００４３】
なお、本開示の実施例において、無線周波数ユニット３０１は、情報の送受信又は通話中で信号の送受信に用いられ、具体的には、基地局からの下りデータを受信した後、プロセッサ３１０による処理に供し、また、上りデータを基地局に送信する。一般に、無線周波数ユニット３０１は、アンテナ、少なくとも１つの増幅器、トランシーバ、結合器、低雑音増幅器、デュプレクサなどを含むが、それらに限定されない。また、無線周波数ユニット３０１は、無線通信システムを介してネットワークや他の機器と通信を行うこともできる。
【００４４】
端末は、ネットワークモジュール３０２を介して、ユーザによる電子メールの送受信、ウェブページの閲覧、ストリーミングメディアへのアクセスをサポートするなど、無線ブロードバンドインターネットアクセスをユーザに提供する。
【００４５】
オーディオ出力ユニット３０３は、無線周波数ユニット３０１やネットワークモジュール３０２が受信したオーディオデータや、メモリ３０９に記憶されたオーディオデータをオーディオ信号に変換して音声として出力することができる。また、オーディオ出力ユニット３０３は、端末３００が実行する特定の機能に関するオーディオ出力（例えば、呼出信号着信音、メッセージ着信音等）を提供でき。オーディオ出力ユニット３０３は、スピーカ、ブザー及びレシーバなどを含む。
【００４６】
入力ユニット３０４は、オーディオ信号やビデオ信号を受信することに用いられる。入力ユニット３０４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）３０４１と、マイク３０４２とを含む。処理された画像フレームは、表示ユニット３０６上に表示される。ＧＰＵ３０４１で処理された画像フレームは、メモリ３０９（又は他の記憶媒体）に記憶されるか、又は無線周波数ユニット３０１又はネットワークモジュール３０２を介して送信される。マイク３０４２は、音声を受信し、オーディオデータに加工することができる。処理されたオーディオデータは、電話通話モードの場合、無線周波数ユニット３０１を介して移動体通信基地局に送信可能なフォーマットに変換して出力することができる。
【００４７】
端末３００は、光センサ、モーションセンサ及び他のセンサのような少なくとも１つのセンサ３０５を更に含む。具体的には、光センサは、周辺光センサ及び近接センサを含む。周辺光センサは、周辺光の明暗に応じて表示パネル３０６１の輝度を調節し、近接センサは、端末３００が耳に移動したときに表示パネル３０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ３０５は、指紋センサ、圧力センサ、虹彩センサ、分子センサ、ジャイロスコープ、気圧計、湿度計、温度計、赤外線センサなどを更に含むことができるが、ここでは枚挙しない。
【００４８】
表示ユニット３０６は、ユーザが入力した情報やユーザに提供した情報を表示するために用いられる。表示ユニット３０６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル３０６１を含んでもよい。
【００４９】
ユーザ入力ユニット３０７は、数字や文字情報の入力を受け付け、端末のユーザセッティングや機能制御に関するキー信号の入力を生成することに用いられる。具体的に、ユーザ入力ユニット３０７は、タッチパネル３０７１と、その他の入力機器３０７２とを含む。タッチパネル３０７１は、タッチスクリーンとも呼ばれ、その上又は付近でのユーザのタッチ操作を取得可能である（たとえばユーザが指やスタイラスなどの任意の適切な物体や付属部材を用いたタッチパネル３０７１の上又はタッチパネル３０７１の付近での操作）。タッチパネル３０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１０に送り、プロセッサ３１０からの命令を受信して実行する。なお、タッチパネル３０７１は、抵抗膜式、コンデンサ式、赤外線、表面弾性波など、種々の方式を用いて実現することができる。ユーザ入力ユニット３０７は、タッチパネル３０７１の他に、他の入力機器３０７２を含んでもよい。具体的に、他の入力機器３０７２は、物理的なキーボード、機能キー（例えば、音量調節キー、スイッチキーなど）、トラックボール、マウス、レバーを含むが、ここでは枚挙しない。
【００５０】
更に、タッチパネル３０７１は、表示パネル３０６１を覆うことができる。タッチパネル３０７１は、その上又はその近くでタッチ操作を検出すると、プロセッサ３１０に送信して、タッチイベントのタイプを特定する。次いで、プロセッサ３１０は、タッチイベントのタイプに応じて、対応する視覚的出力を表示パネル３０６１に提供する。図３では、タッチパネル３０７１と表示パネル３０６１は、独立した２つの部品として端末の入出力機能を実現するが、実施例によっては、タッチパネル３０７１と表示パネル３０６１を一体化して端末の入出力機能を実現することもでき、具体的にここでは限定しない。
【００５１】
インタフェースユニット３０８は、外部装置と端末３００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット３０８は、外部装置から入力（たとえば、データ情報、電力など）を受信し、受信した入力を端末３００内の１つ以上の要素に伝送するために使用されてもよく、又は端末３００と外部装置との間でデータを伝送するために使用されてもよい。
【００５２】
メモリ３０９は、ソフトウェアプログラム及び様々なデータを記憶するために使用される。メモリ３０９は、オペレーティングシステム、少なくとも１つの機能に必要なアプリケーションプログラム（例えば、音声再生機能、画像再生機能など）などを記憶することができるプログラム記憶領域と、データ記憶領域とを主に含んでもよい。データ記憶領域は、オーディオデータや電話帳など、携帯電話機の使用に応じて作成されたデータを記憶することができる。更に、メモリ３０９は、高速ランダムアクセスメモリを含んでもよく、少なくとも１つの磁気ディスク記憶デバイス、フラッシュメモリデバイス、又は他の揮発性固体記憶デバイスなどの不揮発性メモリを含んでもよい。
【００５３】
プロセッサ３１０は、端末の制御センタであり、各種インタフェースや回線を用いて端末全体の各部を接続し、メモリ３０９に記憶されたソフトウェアプログラム及び／又はモジュールを実行、メモリ３０９に記憶されたデータを呼び出して端末の各種機能及び処理データを実行し、端末全体の監視を行う。プロセッサ３１０は、１つ以上の処理ユニットを含んでもよい。選択可能に、プロセッサ３１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ３１０に統合されなくてもよいことが理解される。
【００５４】
端末３００は、各設定ユニットに電力を供給するためのバッテリのような電源３１１を更に含んでもよい。選択可能に、電源３１１は、電源管理システムを介してプロセッサ３１０に論理的に接続されてもよく、電源管理システムを介して充電、放電、及び消費電力管理などを管理する機能を実現してもよい。
【００５５】
また、端末３００は、図示しない機能モジュールを更に含んでもよく、ここでの説明は省略する。
【００５６】
本開示の実施例は、コンピュータプログラムが記憶されているコンピュータ読み取り可能な記憶媒体を更に提供し、当該コンピュータプログラムがプロセッサによって実行されると、上記制御方法の実施例の各プロセスが実現され、且つ同じ技術効果を奏することもできるので、重複を避けるために、ここでは繰り返して記載しない。ここで、該コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００５７】
なお、本明細書において、「含む」や「含有する」又はそれ以外のあらゆる変形用語は、非排他的に含むことを意味する。よって、一連の要素を含むプロセス、方法、モノ又は装置は、それらのユニットを含むだけではなく、明確に列挙されていない他のユニットを更に含み、又はこのようなプロセス、方法、モノ又は装置に固有の要素を更に含む。特に限定されない限り、「・・・を１つ含む」の表現によって限定されるユニットについて、当該ユニットを含むプロセス、方法、モノ又は装置に他の同一ユニットの存在を除外しない。
【００５８】
以上の実施形態の記載から、上記実施例の方法が、ソフトウェアプラス必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワーク機器など）に実行させるいくつかの指令を含む。
【００５９】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021518089.tif 000003
【図２】
2021518089.tif 000004
【図３】
2021518089.tif 000005
【手続補正書】
【提出日】令和2年10月28日(2020.10.28)
【手続補正１】
【補正対象書類名】明細書
【補正対象項目名】０００１
【補正方法】変更
【補正の内容】
【０００１】
本開示は、通信技術分野に係り、特に制御方法及び端末に係る。
【手続補正２】
【補正対象書類名】明細書
【補正対象項目名】００１０
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
端末に適用される制御方法であって、
専用ＲＲＣ（Ｒａｄｉｏ  Ｒｅｓｏｕｒｃｅ  Ｃｏｎｔｒｏｌ）メッセージ及び／又はシステムメッセージを取得することと、
前記専用ＲＲＣメッセージ及び／又は前記システムメッセージに付帯する情報に基づいて、ＣＯＲＥＳＥＴ（Ｃｏｎｔｒｏｌ  Ｒｅｓｏｕｒｃｅ  Ｓｅｔ）及び／又はＣＳＳ（Ｃｏｍｍｏｎ  Ｓｅａｒｃｈ  Ｓｐａｃｅ）に対し制御動作を行うこととを含み、
ここで、前記情報は、ＣＯＲＥＳＥＴ及び／又はＣＳＳに関連する、制御方法。
【請求項２】
前記システムメッセージには、ＣＯＲＥＳＥＴ情報及び／又はＣＳＳ情報を付帯し、
前記のＣＯＲＥＳＥＴ及び／又はＣＳＳに対し制御動作を行うことは、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することとの少なくとも１つを含む、請求項１に記載の制御方法。
【請求項３】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯し、
前記のＣＯＲＥＳＥＴ及び／又はＣＳＳに対し制御動作を行うことは、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを含む、請求項１に記載の制御方法。
【請求項４】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯せず、
前記のＣＯＲＥＳＥＴ及び／又はＣＳＳに対し制御動作を行うことは、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴ＃０を選択することと、
前記専用ＲＲＣメッセージに指示されるＣＳＳ＃０を選択することと、
前記専用ＲＲＣメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを含む、請求項１に記載の制御方法。
【請求項５】
前記ターゲット通信プロセスは、
切り替えプロセス、再設定プロセス、再構築プロセス、セカンダリセルグループ変更プロセス、セカンダリセルグループ追加プロセス、セカンダリセルグループ再設定プロセス、セカンダリノード変更プロセス、セカンダリノード追加プロセス及びセカンダリノード再設定プロセスの少なくとも１つを含む、請求項３又は４に記載の制御方法。
【請求項６】
前記システムメッセージは、
ＣＯＲＥＳＥＴ情報及び／又はＣＳＳ情報を付帯するＭＩＢ（Ｍａｓｔｅｒ  Ｉｎｆｏｒｍａｔｉｏｎ  Ｂｌｏｃｋ）と、
ＣＯＲＥＳＥＴ情報及び／又はＣＳＳ情報を付帯するシステム情報ブロックＳＩＢ１とを含み、
前記のＣＯＲＥＳＥＴ及び／又はＣＳＳに対し制御動作を行うことは、
前記システム情報ブロックＳＩＢ１に付帯するＣＯＲＥＳＥＴ情報を無視することと、
前記システム情報ブロックＳＩＢ１に付帯するＣＳＳ情報を無視することと、
前記ＭＩＢに付帯するＣＯＲＥＳＥＴ情報を無視することと、
前記ＭＩＢに付帯するＣＳＳ情報を無視することとの少なくとも１つを含む、請求項１に記載の制御方法。
【請求項７】
前記専用ＲＲＣメッセージには、ＣＯＲＥＳＥＴ情報及び／又はＣＳＳ情報を付帯し、
前記システムメッセージには、ＣＯＲＥＳＥＴ情報及び／又はＣＳＳ情報を付帯し、
前記のＣＯＲＥＳＥＴ及び／又はＣＳＳに対し制御動作を行うことは、
前記専用ＲＲＣメッセージに付帯するＣＯＲＥＳＥＴ情報を無視することと、
前記専用ＲＲＣメッセージに付帯するＣＳＳ情報を無視することと、
前記システムメッセージに付帯するＣＯＲＥＳＥＴ情報を無視することと、
前記システムメッセージに付帯するＣＳＳ情報を無視することとの少なくとも１つを含む、請求項１に記載の制御方法。
【請求項８】
前記付帯は、明示的付帯及び／又は暗黙的付帯を含む、請求項６又は７に記載の制御方法。
【請求項９】
専用ＲＲＣメッセージ及び／又はシステムメッセージを取得する取得モジュールと、
前記専用ＲＲＣメッセージ及び／又は前記システムメッセージに付帯する情報に基づいて、ＣＯＲＥＳＥＴ及び／又はＣＳＳに対し制御動作を行う制御モジュールとを含み、
ここで、前記情報は、ＣＯＲＥＳＥＴ及び／又はＣＳＳに関連する、端末。
【請求項１０】
前記システムメッセージには、ＣＯＲＥＳＥＴ情報及び／又はＣＳＳ情報を付帯し、
前記制御モジュールは、具体的には、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することとの少なくとも１つを実行する、請求項９に記載の端末。
【請求項１１】
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯し、
前記制御モジュールは、具体的には、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを実行し、
又は、
前記専用ＲＲＣメッセージは、ターゲット通信プロセスに対応し、
前記専用ＲＲＣメッセージには、ＣＯＲＥＳＥＴ及び／又はＣＳＳのビームを指示する設定情報を付帯せず、
前記制御モジュールは、具体的には、
前記システムメッセージに指示されるＣＯＲＥＳＥＴ＃０を選択することと、
前記システムメッセージに指示されるＣＳＳ＃０を選択することと、
前記システムメッセージに指示されるＣＯＲＥＳＥＴ＃０に関連付けられたＣＳＳを選択することと、
前記専用ＲＲＣメッセージに指示されるＣＯＲＥＳＥＴ＃０を選択することと、
前記専用ＲＲＣメッセージに指示されるＣＳＳ＃０を選択することと、
前記専用ＲＲＣメッセージに指示されるＣＯＲＥＳＥＴ＃０に関連付けられたＣＳＳを選択することと、
前記専用ＲＲＣメッセージに指示されるＣＯＲＥＳＥＴを選択することと、
前記専用ＲＲＣメッセージに指示されるＣＳＳを選択することと、
前記専用ＲＲＣメッセージに指示されるＣＯＲＥＳＥＴに関連付けられたＣＳＳを選択することとの少なくとも１つを実行する、請求項９に記載の端末。
【請求項１２】
前記ターゲット通信プロセスは、
切り替えプロセス、再設定プロセス、再構築プロセス、セカンダリセルグループ変更プロセス、セカンダリセルグループ追加プロセス、セカンダリセルグループ再設定プロセス、セカンダリノード変更プロセス、セカンダリノード追加プロセス及びセカンダリノード再設定プロセスの少なくとも１つを含む、請求項１１に記載の端末。
【請求項１３】
前記システムメッセージは、
ＣＯＲＥＳＥＴ情報及び／又はＣＳＳ情報を付帯するＭＩＢと、
ＣＯＲＥＳＥＴ情報及び／又はＣＳＳ情報を付帯するＳＩＢ１とを含み、
前記制御モジュールは、具体的には、
前記ＳＩＢ１に付帯するＣＯＲＥＳＥＴ情報を無視することと、
前記ＳＩＢ１に付帯するＣＳＳ情報を無視することと、
前記ＭＩＢに付帯するＣＯＲＥＳＥＴ情報を無視することと、
前記ＭＩＢに付帯するＣＳＳ情報を無視することとの少なくとも１つを実行する、請求項９に記載の端末。
【請求項１４】
前記専用ＲＲＣメッセージには、ＣＯＲＥＳＥＴ情報及び／又はＣＳＳ情報を付帯し、
前記システムメッセージには、ＣＯＲＥＳＥＴ情報及び／又はＣＳＳ情報を付帯し、
前記制御モジュールは、具体的には、
前記専用ＲＲＣメッセージに付帯するＣＯＲＥＳＥＴ情報を無視することと、
前記専用ＲＲＣメッセージに付帯するＣＳＳ情報を無視することと、
前記システムメッセージに付帯するＣＯＲＥＳＥＴ情報を無視することと、
前記システムメッセージに付帯するＣＳＳ情報を無視することとの少なくとも１つを実行する、請求項９に記載の端末。
【請求項１５】
前記付帯は、明示的付帯及び／又は暗黙的付帯を含む、請求項１３又は１４に記載の端末。
【国際調査報告】
2021518089.tif 000006
2021518089.tif 000007
2021518089.tif 000008
2021518089.tif 000009